(57)【特許請求の範囲】
【請求項１】
垂木と、
前記垂木の上に配置された下側の野地と、
前記下側の野地の上面に敷かれた防湿シートからなる防湿部と、
前記防湿部の上に配置された断熱体からなる断熱層と、
前記断熱層の上に該断熱層に接するように配置された上側の野地と、
を備える、屋根の下地構造において、
前記断熱体及び前記下側の野地を貫通して前記垂木に達し、前記断熱体及び前記下側の野地を前記垂木に固着させる固着具と、
前記固着具によって前記断熱体上に固着され、前記上側の野地を前記断熱層上に固定する固定金具と、
を備え、
前記固定金具は、前記断熱体の上に配置される台座部と、前記台座部から上方に伸びる胴部と、前記胴部の上端で横に伸びる押え部とを備え、
前記台座部は、前記断熱体に設けられた凹部に収容され、
前記上側の野地は、２以上の野地板で形成され、
前記２以上の野地板のうちの隣り合う野地板の間に、前記胴部が配置され、
前記隣り合う野地板の各野地板は、前記押え部によって端部が下方に押し付けられることにより前記断熱層上に固定されている、
屋根の下地構造。
【請求項２】
前記断熱体の表面には、軒棟方向に伸びる溝が形成されている、
請求項１に記載の屋根の下地構造。
【請求項３】
前記断熱体の表面には、棟と平行な溝が形成されている、
請求項１に記載の屋根の下地構造。
【発明の詳細な説明】
【技術分野】
【０００１】
本発明は、屋根の下地構造に関する。より詳細には、断熱層を有する屋根の下地構造に関する。
【背景技術】
【０００２】
従来、屋根の断熱性を高めるため、野地（下側の野地）の上に断熱材から形成される断熱層を配置し、断熱層の上に通気層を設け、通気層の上にさらに野地（上側の野地）を配置した屋根の下地構造が提案されている（たとえば特許文献１）。このような上下に野地が設けられた構造は、二重野地構造と呼ばれている。二重野地構造は、上下の野地の間に断熱層が配置されることで、建物の外部と内部との間の熱の伝導が抑制され、断熱性が向上する。
【先行技術文献】
【特許文献】
【０００３】
【特許文献１】特開２０１３−１９９７９７号公報
【発明の概要】
【発明が解決しようとする課題】
【０００４】
二重野地構造では、結露対策が十分でない場合など必要に応じて断熱材と野地との間に通気層を形成する。
【０００５】
しかしながら、通気層を形成するための施工は、一般的に、工程数が多くなりやすく、施工が難しくなるおそれがあり、材料コストも高くなる可能性がある。これは、断熱材と野地との間に通気層分の隙間を形成するための垂木や桟木などの部材を余分に使用することが求められ、さらに通気層となる空間を確保しながらその上に野地（上側の野地）を安定に設置することを要するからである。そのため、より簡単に施工でき、結露の防止が可能で、断熱性の高い屋根の下地構造が求められる。
【０００６】
本発明の目的は、簡単に施工でき、結露の防止が可能で、断熱性の高い屋根の下地構造を提供することにある。
【課題を解決するための手段】
【０００７】
本発明に係る屋根の下地構造は、垂木と、前記垂木の上に配置された下側の野地と、前記下側の野地の上面に敷かれた防湿シートからなる防湿部と、前記防湿部の上に配置された断熱体からなる断熱層と、前記断熱層の上に該断熱層に接するように配置された上側の野地とを備える。前記断熱体及び前記下側の野地を貫通して前記垂木に達し、前記断熱体及び前記下側の野地を前記垂木に固着させる固着具と、前記固着具によって前記断熱体上に固着され、前記上側の野地を前記断熱層上に固定する固定金具と、を備える。前記固定金具は、前記断熱体の上に配置される台座部と、前記台座部から上方に伸びる胴部と、前記胴部の上端で横に伸びる押え部とを備える。前記台座部は、前記断熱体に設けられた凹部に収容される。前記上側の野地は、２以上の野地板で形成される。前記２以上の野地板のうちの隣り合う野地板の間に、前記胴部が配置される。前記隣り合う野地板の各野地板は、前記押え部によって端部が下方に押し付けられることにより前記断熱層上に固定されている。
【発明の効果】
【０００８】
本発明によれば、簡単に施工でき、結露の防止が可能で、断熱性の高い屋根の下地構造を得ることができる。
【図面の簡単な説明】
【０００９】
【図１】屋根の下地構造の一例を示す概略的な断面図である。
【図２】屋根の下地構造の一例の要部を示す概略的な断面図である。
【図３】屋根の下地構造の一例を示す概略的な斜視図である。
【図４】断熱材の一例を示す斜視図である。
【図５】図５は図５Ａ〜図５Ｄからなる。図５は、固定金具の一例を示す。図５Ａは斜視図である。図５Ｂは正面図である。図５Ｃは側面図である。図５Ｄは平面図である。
【図６】溝による通気の模式図である。
【図７】屋根の下地構造の他の一例を示す概略的な斜視図である。
【図８】屋根の下地構造の他の一例の要部を示す概略的な断面図である。
【図９】屋根の下地構造の参考例である。
【発明を実施するための形態】
【００１０】
図１、図２及び図３は、屋根の下地構造の一例である。本形態の屋根の下地構造は、垂木１と、垂木１の上に配置された下側の野地２と、下側の野地２の上面に敷かれた防湿シート３ａからなる防湿部３と、防湿部３の上に配置された断熱体４ａからなる断熱層４と、断熱層４の上に配置された上側の野地５とを備える。上側の野地５は、断熱層４に接するように配置されている。
【００１１】
本形態の屋根の下地構造は、上側の野地５が断熱層４の上に直接配置される。すなわち、上側の野地５は、断熱層４に接触し、上側の野地５と断熱層４との間には通気のための一体となった層がない。そのため、通気層を設けるための構成（たとえば垂木）を不要にすることができ、施工が簡単になる。ところで、このように通気層を設けない構造とすると、屋内からの湿気が屋根下地に入り結露が生じるおそれがある。そこで、本形態の屋根の下地構造では、上記のように下側の野地２の上に防湿シート３ａを配置することにより、屋内からの湿気の浸入を抑制することができる。その結果、防湿性を高め、結露を防止することができる。また、下側の野地２と上側の野地５との間には断熱層４が配置される。そのため、屋内と屋外との熱の伝導を抑制することができる。以上により、本実施形態によれば、簡単に施工でき、結露の防止が可能で、断熱性の高い屋根の下地構造を得ることができる。
【００１２】
図４は断熱材４０の例、図５は固定金具１０の例であり、これらは、図１乃至図３の屋根の下地構造を形成するために用いられる。
【００１３】
以下、図１乃至図５に示す形態を代表例として屋根の下地構造を説明する。しかしながら、屋根の下地構造は、本形態に限定されるものではない。以下、便宜上、下側の野地２を下野地２ともいい、上側の野地５を上野地５ともいう。
【００１４】
図１乃至図３に示すように、本形態の屋根の下地構造は、複数の垂木１を備える。垂木１は、たとえば木材で形成される。垂木１は、長手方向が軒棟方向に沿うようにして設けられる。複数の垂木１は、軒棟方向と垂直な方向（棟と平行な方向）に沿って間隔をあけて配置される。複数の垂木１は、等間隔に配置されてもよい。
【００１５】
下側の野地２（下野地２）は、垂木１の上に配置される。下野地２は、複数の野地板２ａから形成され得る。複数の野地板２ａは、面状に敷き詰められる。野地板２ａは、矩形状（正方形を含む）であってよい。野地板２ａは、たとえば木製の板で形成される。
【００１６】
防湿部３は、下野地２の上に配置される。防湿部３は、層状である。防湿部３は、下野地２と断熱層４との間にある。防湿部３は、複数の防湿シート３ａから形成されている。防湿シート３ａは、下野地２の表面に敷き詰められる。防湿シート３ａは、隙間なく下野地２を覆う。防湿シート３ａによって、屋根の防湿性が高まる。
【００１７】
断熱層４は、防湿部３の上に配置される。断熱層４は、上側の野地５と下側の野地２との間にある。断熱層４は、断熱体４ａによって形成される。断熱体４ａは、繊維、発泡樹脂などで形成される。断熱層４により、屋根の断熱性が高まる。
【００１８】
断熱層４は、断熱体４ａを含む複数の断熱材４０から形成される。断熱材４０は、下野地２に載っている。断熱材４０は、パネル状であってよい。下野地２は、断熱材４０を支持している。複数の断熱材４０は面状に敷き詰められる。断熱材４０の平面形状は、矩形状（正方形を含む）であってよい。
【００１９】
図４は、断熱材４０の一例を示す。屋根の下地構造では、防湿シート３ａが断熱体４ａと一体となった断熱材４０が用いられてもよい。図４の断熱材４０は、断熱体４ａと、防湿シート３ａとを備える。防湿シート３ａは、断熱体４ａの裏面（下面）に接着されている。断熱材４０は、断熱体４ａと防湿シート３ａとが一体化しているため、断熱材４０の設置により防湿部３と断熱層４とを同時に形成することが可能になり、施工が容易になる。図４の断熱材４０では、断熱体４ａが断熱層４を与え、防湿シート３ａが防湿部３を与える。
【００２０】
図４の断熱材４０では、防湿シート３ａの一部が断熱体４ａからはみ出している。防湿シート３ａのはみ出し部３ｐは、断熱材４０の端部に設けられている。屋根の下地構造においては、はみ出し部３ｐは、隣の断熱材４０の防湿シート３ａと重なる。そのため、隣り合う防湿シート３ａの重なりによって、防湿シート３ａの間に隙間が生じにくくなるので、防湿性が高まる。はみ出し部３ｐは、矩形状の断熱材４０の隣り合う２辺（縦の一辺と横の一辺）に少なくとも設けられることが好ましい。それにより、縦横で防湿シート３ａが重なるため、防湿シート３ａの隙間がより生じにくくなる。
【００２１】
図４の断熱材４０は、凹部４１を備えている。凹部４１は複数設けられている。凹部４１は、軒棟方向にわたって設けられている。凹部４１は、断熱体４ａに設けられている。凹部４１は、断熱体４ａの上野地５に向かう面にある。凹部４１は、溝状である。ただし、断熱材４０の端部に位置する凹部４１は、溝の一側面が開放され、切り欠き状となっている。断熱材４０の端部の凹部４１は、切り欠き部４１ａと定義される。図１に示すように、屋根の下地構造では、隣り合う断熱材４０の切り欠き部４１ａが合わさって一つの凹部４１が形成される。
【００２２】
もちろん、図４は、断熱材の一例であり、断熱材は、少なくとも断熱体を備えていればよく、防湿シートを備えていなくてもよい。屋根の下地構造では、防湿シートと断熱材とが別体で、防湿シートから防湿部が、断熱材から断熱層が、それぞれ別々に形成されてもよい。
【００２３】
図１乃至図３に示すように、上側の野地５（上野地５）は、断熱層４の上に配置される。上野地５と断熱層４とは接している。上野地５は、断熱層４に載っている。上野地５と断熱層４との間には、一体的な空気の層がない。そのため、上野地５を断熱層４と間隔をあけて施工することを要さなくなり、施工が容易になる。
【００２４】
上野地５は、複数の野地板５ａから形成され得る。複数の野地板５ａは、面状に敷き詰められる。野地板５ａは、矩形状（正方形を含む）であってよい。野地板５ａは、たとえば木製の板で形成される。
【００２５】
本形態では、複数の野地板５ａが面状に配置され、複数の断熱材４０が面状に配置されている。そして、野地板５ａの継ぎ目と、断熱材４０の継ぎ目とは揃っている。継ぎ目が揃うことで、より簡単な施工を行うことが可能になる。なお、下野地２を構成する複数の野地板２ａも面状に配置されるものであってよく、このとき、野地板２ａの継ぎ目と野地板５ａの継ぎ目とは揃っていてもよいし、揃っていなくてもよい。
【００２６】
本形態の屋根の下地構造は、上側の野地板５ａ、断熱材４０及び下側の野地板２ａを固着する固着具６を備えている。野地板５ａ、断熱材４０及び野地板２ａは、固着具６によって垂木１に固着されている。固着具６は、たとえば、釘、ビスである。固着具６は、材料を貫通することで、その材料を留め付けることができる。固着具６は、固着したい材料に打ち込まれる。
【００２７】
図１乃至図３では、固着具６として、固着具６ａと固着具６ｂとが図示されている。固着具６ｂは、上野地５を貫通する固着具６である。固着具６ａは、上野地５を貫通しない固着具６である。固着具６ａは固着具６ｂよりも短くてよい。それにより、施工が容易になる。
【００２８】
固着具６は、固着具６ａ及び固着具６ｂ以外の固着具６を含んでいてもよい。たとえば、下野地２を構成する野地板２ａの上から打ち込まれて、野地板２ａを垂木１に固着する固着具６がさらに設けられてもよい。この場合の固着具６は、断熱材４０よりも下にあり、断熱材４０を貫通しない。この場合、野地板２ａを強く固着することができ、断熱材４０を取り付ける前に野地板２ａが固定されるので、施工が容易になる。
【００２９】
固着具６ｂは、野地板５ａの継ぎ目から離れた位置に打ち込まれている。固着具６ｂは、断熱材４０の端部以外の部分（中央部）に打ち込まれるといってもよい。固着具６ｂは、上側の野地板５ａと断熱材４０（断熱体４ａを含む）と下側の野地板２ａとを貫通し、垂木１に刺さっている。つまり、固着具６ｂは、上野地５と断熱層４と防湿部３と下野地２とを貫き、その先端が垂木１の中にある。固着具６ｂにより、上野地５及び断熱材４０が強く垂木１に固着される。
【００３０】
固着具６ａは、野地板５ａ及び断熱材４０の継ぎ目の位置に打ち込まれている。固着具６ａは、断熱材４０の端部に打ち込まれるといってもよい。固着具６ａは、断熱材４０（断熱体４ａを含む）と下側の野地板２ａとを貫通し、垂木１に刺さっている。つまり、固着具６ａは、断熱層４と防湿部３と下野地２とを貫き、その先端が垂木１の中にある。固着具６ａにより、断熱材４０が強く垂木１に固着される。
【００３１】
ここで、固着具６ａは、断熱材４０の直上から断熱材４０に打ち込まれており、固着具６ａは上野地５を貫通していない。そして、固着具６ａは、隣り合う断熱材４０のうちの一方の断熱材４０の端部のみに打ち込まれ、もう一方の断熱材４０の端部には打ち込まれていない。図１乃至図３では、断熱材４０の左側の端部に固着具６ａが打ち込まれ、断熱材４０の右側の端部には固着具６ａが打ち込まれていない。
【００３２】
本形態の屋根の下地構造は、さらに、固着具６ａによって断熱材４０（断熱体４ａともいえる）の上で固着される固定金具１０を備えている。固定金具１０は、上側の野地５（上野地５）を断熱材４０上に固定している。
【００３３】
図５により固定金具１０を説明する。図５の固定金具１０は、固定金具の一例であり、屋根の下地構造では、他の構造の固定金具が用いられてももちろんよい。図５は、図５Ａ〜図５Ｄから構成される。
【００３４】
固定金具１０は、台座部１１と、台座部１１から上方に伸びる胴部１２と、胴部１２の上端から横に伸びる押え部１３とを備えている。固定金具１０は、金属板を曲げ加工して得られる。一枚の金属板から固定金具１０が形成されると、溶接等が不要となり、簡単に固定金具１０を得ることができる。金属板の厚みは、たとえば０．１〜１ｍｍの範囲内である。
【００３５】
台座部１１は、固定金具１０の最下部に位置する。台座部１１は、矩形板状をなしてる。屋根の下地構造においては、台座部１１は、断熱材４０の上に配置される。台座部１１の下面は断熱材４０の上面に接する。台座部１１は、隣り合う断熱材４０に跨る。台座部１１には、固着穴１４が設けられている。固着具６ａは、断熱材４０を固着する際、固着穴１４を通る。固着穴１４の径は、固着具６ａの頭部の径よりも小さい。固着穴１４は、固着具６ａが断熱材４０の端部を貫けるように、隣り合う断熱材４０の継ぎ目からずれた位置に設けられる。
【００３６】
胴部１２は、台座部１１の長手方向一端から他端側に台座部１１と鋭角をなすように斜め上方に伸びる胴下部１２ａと、胴下部１２ａの上端から台座部１１に対して垂直な方向に上方に伸びる胴上部１２ｂとを備えている。胴下部１２ａ及び胴上部１２ｂは、それぞれ矩形板状をなしている。
【００３７】
押え部１３は、胴部１２の上端に配置される。押え部１３は、平板状である。押え部１３は、横方向に伸びている。押え部１３は、台座部１１と平行である。押え部１３は、胴部１２の上端から左右に伸びる片を有している。押え部１３の左右に伸びる片は、第１押え片１３ａと、第２押え片１３ｂとに区分される。図５の固定金具１０では、第１押え片１３ａは１つ設けられ、第２押え片１３ｂは２つ設けられている。固定金具１０を上方からみたとき、第１押え片１３ａは押え部１３の中央に配置され、第２押え片１３ｂは押え部１３の両端部に配置される。押え部１３は、金属板の胴部１２よりも先の部分が分岐され、分岐部分が２方向に折り曲げられることで形成されている。第２押え片１３ｂは、台座部１１と対向している。第１押え片１３ａは、第２押え片１３ｂが伸びる方向と反対方向に伸びている。なお、第２押え片１３ｂは１つであってもよい。
【００３８】
図５Ｄに示すように、固定金具１０を上から見たとき、固着穴１４と押え部１３とが重ならないことが好ましい。それにより、固着穴１４を通して固着具６ａを容易に通すことができ、部材の固着が容易になる。本形態では、第１押え片１３ａが固着穴１４と重ならない方向に伸びている。また、同様に、胴部１２が固着穴１４と重ならないことが好ましく、本形態では、胴下部１２ａが固着穴１４に重ならないように伸びている。
【００３９】
第１押え片１３ａと胴上部１２ｂとの境目、及び第２押え片１３ｂと胴上部１２ｂとの境目には、リブ１２ｃが設けられていることが好ましい。リブ１２ｃにより、胴上部１２ｂと第１押え片１３ａ及び第２押え片１３ｂとの接続部分の強度が向上する。リブ１２ｃは、凹みにより形成される。
【００４０】
図１及び図２で示すように、上記で述べた固定金具１０が、断熱材４０及び野地板５ａを固定する。固定金具１０は、固着具６ａによって断熱材４０に固着される。固着具６ａは、隣り合う断熱材４０のうちの一方を突き抜ける。このとき台座部１１は、断熱材４０の上に跨るように配置される。そのため、台座部１１は、固着具６ａが貫通する断熱材４０（図２の右側の断熱材４０Ｒ）だけではなく、固着具６ａが通らない断熱材４０（図２の左側の断熱材４０Ｌ）を上から押さえつける。それにより、２つの断熱材４０の端部を固定することができ、１つの固着具６ａによって効率よく簡単に断熱材４０を固定することができる。また、２本留めしなくてよいため、固着具の効きがなくなったり、垂木が割れたりする不具合が抑制される。
【００４１】
本形態では、断熱材４０には凹部４１が設けられている。凹部４１は、断熱体４ａの上面に設けられている。そして、固定金具１０は、凹部４１の位置に配置されている。固定金具１０の位置にある凹部４１は、断熱材４０の端部の切り欠き部４１ａによって形成されている。固定金具１０の台座部１１は、この凹部４１に収容されている。このように、台座部１１が凹部４１に収容されると、固着具６ａの頭部が凹部４１に収まる。すなわち、固着具６ａの頭部が飛び出して上野地５に当たることが抑制される。さらに本形態では、胴下部１２ａも凹部４１に収容されている。このように、台座部１１と胴下部１２ａとが凹部４１に収容されると、固定金具１０が効率よく配置される。
【００４２】
固定金具１０の胴上部１２ｂは、隣り合う野地板５ａの間に配置されている。隣り合う野地板５ａは、互いに突き合わせられている。胴上部１２ｂは、突き合せられた野地板５ａの隙間を通る。胴上部１２ｂの上下方向の長さは、野地板５ａの厚みと同じかそれよりも長いことが好ましい。それにより、胴部１２が邪魔にならずに、隣り合う野地板５ａを突き合わせることができる。胴部１２全体の上下方向の長さは、凹部４１の底部から上野地５の上面までの上下方向の長さと略等しいことが好ましい。それにより、野地板５ａの固定強度が向上する。ここで、固定金具１０を構成する金属板の厚みは小さいので、胴上部１２ｂ以外のところでは、隣り合う野地板５ａは接触していてよい。胴上部１２ｂの厚みは、野地板５ａによって吸収されてよい。すなわち、胴上部１２ｂは、野地板５ａの間で野地板５ａの側部に埋められるように配置されてもよい。
【００４３】
固定金具１０の押え部１３は、上野地５の上に配置されている。押え部１３は、隣り合う野地板５ａを固定している。押え部１３は野地板５ａと接している。押え部１３は、上から上野地５を押し付ける。第１押え片１３ａが、隣り合う野地板５ａのうちの一方の野地板５ａ（図２の左側の野地板５ａＬ）の上に配置され、第２押え片１３ｂが、他方の野地板５ａ（図２の右側の野地板５ａＲ）の上に配置されている。そのため、各野地板５ａは、押え部１３によって端部が下方に押し付けられることにより断熱層４上に固定される。このように、本形態では、固定金具１０の押え部１３によって野地板５ａを強く固定することができる。このとき、押え部１３は、分岐によって互いに反対方向に伸びる２種類の押え片を備えているため、隣り合う野地板５ａの両方を効率よく固定することができる。そして、固着具６ａは押え部１３よりも下方に配置されるので、固着具６ａの頭部が上野地５の上で飛び出すことがない。そのため、固着具６ａの頭部が飛び出すことによる屋根材の不陸や割れを抑制することができる。
【００４４】
上述のように、本形態では、断熱体４ａに設けられた凹部４１は、溝状である。この凹部４１は、断熱層４表面の溝４２を構成している。複数の溝４２が、断熱層４の表面に設けられる。本形態では、溝４２は、軒棟方向に伸びている。つまり、断熱体４ａは、軒棟方向に伸びる溝４２を有している。断熱層４においては、複数の断熱体４ａに設けられた凹部４１（溝４２）が軒棟方向で連結し、軒棟方向にわたって延びる長い溝４２が形成されている（図３参照）。複数の溝４２は、軒棟方向と垂直な方向（棟方向）に間隔をあけて配置されている。溝４２は、通気路として機能する。本形態では、防湿部３により下野地２と上野地５との間に湿気や水分が浸入することが抑制されるが、もし湿気や水分が浸入した場合には、通気路である溝４２を通して湿気や水分を逃がすことができる。そのため、結露を高く抑制することができる。
【００４５】
図６は、溝４２による通気を模式的に示している。上下の野地の間にわずかに浸入した水分は、野地板５ａ及び断熱材４０から溝４２に移動する。溝４２に到達した水分は気体とともに、溝４２を通って棟に向かう。棟は換気棟の構造を有しており、換気棟によって湿気を排出することができる。このようにして、屋根内部での結露を防止することができる。
【００４６】
本形態では、固定金具１０と固着具６ａとを用いることによって、継ぎ目近傍での断熱材４０及び上野地５の固着をより強固にするとともに、簡単に施工を行うことができる。その理由を参考例を用いながら以下に説明する。
【００４７】
図９は、屋根の下地構造の参考例である。上記と同様の構成には同じ符号を付している。図９では、野地板５ａの継ぎ目の位置において、隣り合う野地板５ａの端部の両方に、固着具６ｘが設けられている。図９では、固着具６ｘは、野地板５ａと断熱材４０と野地板２ａとを貫通して垂木１に刺さっている。固着具６ｘは、野地板５ａ、断熱材４０及び野地板２ａを突き抜けることを要するため、比較的寸法が長い。このように固着具６ｘの寸法が長くなると、固着具６ｘの打ち込みが難しくなる。特に、図９のように、隣り合う断熱材４０の端部の近い位置に２本の固着具６ｘを打ち込む場合（いわゆる２本留めの場合）、野地板５ａや野地板２ａや垂木１が割れたり、固着具６ｘによる固着が効かなかったりするといった不具合が生じやすい。そして、不具合が生じないようにしようとすると、今度は施工が難しくなる。そこで、隣り合う野地板５ａの端部に跨る金属板を当て板６ｙとして配置し、当て板６ｙの上から固着具６ｘを通すことが考えられる。図９では、当て板６ｙが仮想線で示されている。この場合、当て板６ｙの金属板によって、上記の不具合が抑制されやすくなり、施工も容易になる。しかしながら、金属板を用いる場合、固着具６ｘの頭部が上野地５の表面で飛び出るため、上野地５の上に配置される屋根材（いわゆる瓦）が不陸になって不安定になったり、割れたりするおそれがある。このように、参考例の屋根の下地構造では、屋根の下地構造自体に不具合が生じたり、施工が難しくなったり、屋根材（瓦）に悪影響を及ぼしたりする。
【００４８】
一方、本形態の屋根の下地構造は、図２で示すように、継ぎ目の位置には、一つの固着具６ａが設けられており、２本留めがされていない。そのため、本形態の屋根の下地構造は、不具合が生じにくく、施工が容易である。また、固着具６ａは断熱材４０の上から打ち込まれ、この固着具６ａによって固定された固定金具１０が上野地５を固定しており、上野地５の表面に固着具６ａの頭部が飛び出ていない。そのため、上野地５の表面で固着具６ａの頭部が飛び出して屋根材が不陸になったり、割れたりすることが抑制され、屋根材（瓦）への悪影響が低減される。
【００４９】
なお、図９の屋根の下地構造は、防湿シートを有していない。さらに、図９の屋根の下地構造は、通気のための溝を有していない。そのため、図９の屋根の下地構造は、屋根内部に水分が浸入しやすく、浸入した水分が留まりやすいため、結露を防止できない。
【００５０】
本形態の屋根の下地構造は、ステップバイステップ方式で形成することができる。図１及び図２を参照しながら、屋根の下地構造の施工の一例を説明する。
【００５１】
屋根の下地構造の形成にあたっては、まず、垂木１の上に野地板２ａを取り付ける。野地板２ａは面状に敷き詰めることができる。野地板２ａは、固着具で固着されてもよい。これにより、下野地２が形成される。
【００５２】
次に、下野地２の上に、防湿シート３ａと断熱体４ａとを有する１つの断熱材４０を置き、その断熱材４０の隣に他の断熱材４０を置く。このとき、はみ出し部３ｐによって、防湿シート３ａが重なるように断熱材４０を配置する。なお、防湿シート３ａと断熱材４０とが別体の場合は、防湿シート３ａを下野地２の上一面に敷いた後、防湿シート３ａの上に断熱材４０を置くことができる。
【００５３】
次いで、隣り合う断熱材４０のうちの一方の上に野地板５ａを置く。このとき、野地板５ａは、固着具６ａが打ち込まれない方の断熱材４０の上に配置される（図２の野地板５ａＬ参照）。ここで、野地板５ａに固着具６ｂを打ち込んでもよい。そして、断熱材４０の継ぎ目部分に固定金具１０を配置し、固着穴１４から固着具６ａを打ち込み、断熱材４０及び野地板２ａを貫通させて固着具６ａを垂木１に突き刺す。これにより、固定金具１０が固着し、隣り合う断熱材４０は固定金具１０の台座部１１の下面によって押し付けられて固定される。また、野地板５ａ（野地板５ａＬ）は、その上面が押え部１３の下面によって押し付けられて、固定される。
【００５４】
次いで、固着具６ａが打ち込まれた方の断熱材４０の上に野地板５ａを配置し、野地板５ａの端部を押え部１３と断熱材４０の間に差し入れる（図２の野地板５ａＲ参照）。これにより、隣り合う野地板５ａが突き合わされる。また、野地板５ａ（野地板５ａＲ）は、その上面が押え部１３の下面によって押し付けられて、固定される。隣り合う野地板５ａ（野地板５ａＬと野地板５ａＲ）の間には、固定金具１０の胴部１２が配置される。野地板５ａは固着具６ｂが打ち込まれて、さらに固定される（図１参照）。
【００５５】
以上のような断熱材４０及び野地板５ａの取付けの動作を繰り返し行うことにより、屋根全体にわたって断熱層４と上野地５とを形成することができる。これにより、本形態の屋根の下地構造が形成される。もちろん、上記の屋根の下地構造の形成方法は、一例であり、他の方法により屋根の下地構造が形成されてもよい。
【００５６】
屋根の施工においては、屋根の下地構造の上に、ルーフィングが施され、その上に屋根材（すなわち瓦）が配置される。屋根材としては、たとえば、スレート瓦、和瓦、金属瓦が挙げられる。本形態の屋根の下地構造は、さまざまな瓦の種類に適応可能である。屋根材の敷設により、屋根が完成する。
【００５７】
図７は、屋根の下地構造の他の実施形態である。図７では、断熱体４ａに設けられる溝４２は、棟と平行な方向（横方向）に伸びている。溝４２は、凹部４１によって形成されている。固定金具１０は、凹部４１に配置されている。固着具６ｂは、凹部４１からずれて設けられている。その他の構成は、図１乃至図３の形態と同様である。本形態でも、防湿シート３ａが防湿部３となり、溝４２が通気路として機能する。水分の浸入は防湿シート３ａにより抑制され、屋根内部に水分が浸入したとしても、水分は、溝４２によって棟と平行な方向に流れて排出される。そのため、屋根内部の結露を防止することができる。また、本形態でも、固定金具１０により断熱材４０と上側の野地板５ａとを効率よく固定することができる。
【００５８】
図８は、屋根の下地構造の他の実施形態である。上記実施形態では、断熱材４０に軒棟方向全体又は棟と平行な方向全体に亘って延びる溝４２が形成されているが、このような溝が形成されていなくてもよい。また、固定金具１０以外の構造の固定金具が用いられていてもよい。例えば、図８は、断熱材４０の表面に溝がなく、固定金具７０で野地板５ａを固着する例を示している。この例では、図８に示すように、断熱材４０の表面に比較的小面積かつ比較的浅い（例えば、金属板の厚み程度の浅さの）凹部４１を形成し、この凹部４１に固定金具７０を固着させている。この場合、固定金具７０は、凹部４１の底面に載置固定される矩形板状の台座部７１と、該台座部７１の一辺から上方に延びる胴部７２と、該胴部７２の上端から棟と平行に両側に延びる押え部７３と、を備えている。凹部４１は、断熱材４０の一方の端部に局所的に設けられている。凹部４１の寸法は、上から見たときに台座部７１の寸法と同じ程度である。上記胴部７２は、棟と平行な方向で隣接する一対の野地板５ａ間を通過してこれら野地板５ａのわずかに上方まで延びており、上記押え部７３は、胴部７２の上端から棟と平行な方向に両側に延びて一対の野地板５ａの端部を下方に押さえつけている。これにより、両野地板５ａが押え部７３と断熱材４０とによって挟持固定されている。押え部７３は、上記の形態と同様に、第１押え片７３ａ及び第２押え片７３ｂを有するものであってよい。なお、上記固定金具７０は、長尺に構成されていてもよい。本形態でも、防湿シート３ａにより結露を防止でき、固定金具７０により断熱材４０と上側の野地板５ａとを効率よく固定することができる。
【００５９】
本開示の屋根の下地構造は、さらなる変形例が含まれる。たとえば、断熱体４ａは、端部に溝を有さずに、中央部のみに溝４２を有していてもよい。また、固定金具の台座部が、胴部の下端から分岐して棟と平行な２方向に伸びていてもよい。また、断熱体４ａの表面に、縦横の溝４２が設けられ、凹部４１が格子状になっていてもよい。また、断熱体４ａの表面がシボ状になり、凹部４１がシボの凹みで設けられてもよい。これらは変形例の一例である。
【００６０】
以上で述べたように、本開示の屋根の下地構造は、垂木１と、垂木１の上に配置された下側の野地２と、下側の野地２の上面に敷かれた防湿シート３ａからなる防湿部３と、防湿部３の上に配置された断熱体４ａからなる断熱層４と、断熱層４の上に該断熱層４に接するように配置された上側の野地５とを備える。そのため、本開示の屋根の下地構造は、簡単に施工でき、結露の防止が可能で、断熱性が高い。
【００６１】
本開示の屋根の下地構造は、好ましくは、断熱体４ａ及び下側の野地２を貫通して垂木１に達し、断熱体４ａ及び下側の野地２を垂木１に固着させる固着具６ａと、固着具６ａによって断熱体４ａ上に固着され、上側の野地５を断熱層４上に固定する固定金具１０とを備える。固定金具１０は、断熱体４ａの上に配置される台座部１１と、台座部１１から上方に伸びる胴部１２と、胴部１２の上端で横に伸びる押え部１３とを備える。固定金具１０の台座部１１は、断熱体４ａに設けられた凹部４１に収容される。上側の野地５は、２以上の野地板５ａで形成される。２以上の野地板５ａのうちの隣り合う野地板５ａの間に、固定金具１０の胴部１２が配置される。隣り合う野地板５ａの各野地板５ａは、押え部１３によって端部が下方に押し付けられることにより断熱層４上に固定されている。そのため、屋根の下地構造は、簡単に施工でき、固定強度が高い。
【００６２】
本開示の屋根の下地構造においては、断熱体４ａの表面には、軒棟方向に伸びる溝４２が形成されていることが好ましい。この場合、結露防止効果が高まる。
【００６３】
本開示の屋根の下地構造においては、断熱体４ａの表面には、棟と平行な溝４２が形成されていることが好ましい。この場合、結露防止効果が高まる。
【符号の説明】
【００６４】
１      垂木
２      下側の野地（下野地）
３      防湿部
３ａ    防湿シート
４      断熱層
４ａ    断熱体
５      上側の野地（上野地）
５ａ    野地板
６      固着具
６ａ    固着具
１０    固定金具
１１    台座部
１２    胴部
１３    押え部
４０    断熱材
４１    凹部
４２    溝
７０    固定金具
【図１】
0006571970.tif 000002
【図２】
0006571970.tif 000003
【図３】
0006571970.tif 000004
【図４】
0006571970.tif 000005
【図５】
0006571970.tif 000006
【図６】
0006571970.tif 000007
【図７】
0006571970.tif 000008
【図８】
0006571970.tif 000009
【図９】
0006571970.tif 000010